(57)【特許請求の範囲】
【請求項１】
光源と、
前記光源が配される底部と前記光源に対して前記底部側とは反対側に配されて光を出射させる光出射部とを有するシャーシと、
前記光出射部を覆う形で配される光学部材と、
前記光源と前記光学部材との間に介在する形で配されて光を反射する出光側反射部材であって、少なくとも前記光源と重畳する部分を含む光源配置部が、その周りの光源非配置部よりも単位面積当たりの透過光量が少ない出光側反射部材と、
前記底部と前記光学部材との間に介在する形で配されて前記光学部材を支持する支持部材であって、前記出光側反射部材と重畳する位置に配されて少なくとも前記出光側反射部材を前記底部側から支持するとともに前記光源に対する前記出光側反射部材の平面配置を固定化する支持部材と、を備え、
前記出光側反射部材には、光を透過する開口部が複数設けられていて、前記光源配置部が前記光源非配置部よりも単位面積当たりの開口面積が小さくされており、
前記支持部材は、複数の前記開口部のいずれかに挿通されてその開口縁に当接しており、
前記シャーシは、前記底部の外周縁部から出光側に向けて立ち上がる側部を有しており、
前記出光側反射部材は、外周縁部が前記側部から離間するよう配される照明装置。
【請求項２】
前記出光側反射部材は、複数の前記開口部における個々の開口面積が前記光源から遠ざかるほど大きくなっており、
前記支持部材は、前記出光側反射部材のうち前記光源非配置部と重畳する位置に配される請求項１記載の照明装置。
【請求項３】
前記光源は、前記底部に沿って複数が間隔を空けて並んで配されており、
前記支持部材は、少なくとも前記光源の並び方向について隣り合う前記光源の間に配される請求項２記載の照明装置。
【請求項４】
前記支持部材には、前記出光側反射部材における前記開口部の開口縁を前記底部側から支持する支持突部が設けられている請求項１から請求項３のいずれか１項に記載の照明装置。
【請求項５】
前記支持部材には、前記出光側反射部材における前記開口部の開口縁が係止される係止溝が形成されている請求項１から請求項３のいずれか１項に記載の照明装置。
【請求項６】
前記出光側反射部材は、前記底部に並行する平坦状部と、前記平坦状部の外端から突出して前記平坦状部から遠ざかるに従って前記光学部材に近づくよう傾斜状をなす傾斜状部と、を有しており、
前記支持部材には、前記平坦状部と重畳する位置に配されるものと、前記傾斜状部と重畳する位置に配されるものと、が含まれている請求項１から請求項５のいずれか１項に記載の照明装置。
【請求項７】
前記支持部材は、前記底部と前記出光側反射部材との間に介在する形で配される出光側反射部材支持部と、前記出光側反射部材と前記光学部材との間に介在する形で配され前記出光側反射部材支持部に対して取り付けられて前記出光側反射部材支持部との間で前記出光側反射部材を挟み込む光学部材支持部と、から構成される請求項１から請求項６のいずれか１項に記載の照明装置。
【請求項８】
請求項１から請求項７のいずれか１項に記載の照明装置と、前記照明装置から照射される光を利用して画像を表示する表示パネルと、を備える表示装置。
【請求項９】
請求項８記載の表示装置を備えるテレビ受信装置。
【発明の詳細な説明】
【技術分野】
【０００１】
本発明は、照明装置、表示装置及びテレビ受信装置に関する。
【背景技術】
【０００２】
従来の面照明光源装置は、下記の特許文献１に記載されているように、所定面積の底面及び側面並びに開口を有し内部に反射体が設けられ、底面に点光源が配設されたケーシングと、点光源から所定距離離れて開口を覆い、光を透過及び反射させる放射側反射手段とを備え、点光源の真上部分に所定範囲の中央反射部と中央反射部の外周囲に外方反射部とを有し、外方反射部は、一部光を透過、反射及び乱反射し所定の反射率を有する反射部材からなり、中央反射部は外方反射部の反射率より高い反射率を有する光透過性の反射部で形成されている。
【先行技術文献】
【特許文献】
【０００３】
【特許文献１】特開２０１１−４９１７６号公報
【発明の概要】
【発明が解決しようとする課題】
【０００４】
上記した特許文献１に記載された面照明光源装置においては、放射側反射手段がその面に沿う方向について位置ずれしたり、面の法線方向について点光源に近づくよう位置ずれしたりすると所望の光学性能を発揮できなくなり、面照明光源装置の出射光に輝度ムラが生じ易くなっていた。
【０００５】
本発明は上記のような事情に基づいて完成されたものであって、輝度ムラの発生を抑制することを目的とする。
【課題を解決するための手段】
【０００６】
本発明の照明装置は、光源と、前記光源が配される底部と前記光源に対して前記底部側とは反対側に配されて光を出射させる光出射部とを有するシャーシと、前記光出射部を覆う形で配される光学部材と、前記光源と前記光学部材との間に介在する形で配されて光を反射する出光側反射部材であって、少なくとも前記光源と重畳する部分を含む光源配置部が、その周りの光源非配置部よりも単位面積当たりの透過光量が少ない出光側反射部材と、前記底部と前記光学部材との間に介在する形で配されて前記光学部材を支持する支持部材であって、前記出光側反射部材と重畳する位置に配されて少なくとも前記出光側反射部材を前記底部側から支持するとともに前記光源に対する前記出光側反射部材の平面配置を固定化する支持部材と、を備える。
【０００７】
このようにすれば、光源から発せられた光は、光源と光学部材との間に介在する形で配される出光側反射部材により反射されるなどしてシャーシの光出射部に配された光学部材に到達し、そこで光学作用を付与されつつ外部へ出射される。出光側反射部材は、少なくとも光源と重畳する部分を含む光源配置部が、その周りの光源非配置部よりも単位面積当たりの透過光量が少ないものとされているから、光学部材に照射される光量がその面内において均一化されるようになっている。
【０００８】
光学部材は、シャーシの底部と光学部材との間に介在する形で配される支持部材により支持されるので、撓みや反りなどの変形が生じ難くなる。そして、光学部材を支持する支持部材は、出光側反射部材と重畳する位置に配されて少なくとも出光側反射部材を底部側から支持するとともに光源に対する出光側反射部材の平面配置を固定化するものとされるから、出光側反射部材が光源に近づくような位置ずれが生じ難くなるとともに、光源に対する出光側反射部材の平面配置が位置ずれし難くなる。これにより、出光側反射部材の光学性能が良好に発揮され、もって光学部材の出射光に輝度ムラが生じ難いものとなる。また、支持部材が光学部材の支持機能と出光側反射部材の位置決め機能とを併有しているので、部品点数の削減などが図られる。
【０００９】
本発明の実施態様として、次の構成が好ましい。
（１）前記出光側反射部材には、光を透過する開口部が複数設けられていて、前記光源配置部が前記光源非配置部よりも単位面積当たりの開口面積が小さい。このようにすれば、光源配置部は、光源非配置部よりも単位面積当たりの開口面積が小さいので、それに応じて開口部を透過する透過光量も少なくなる。このように出光側反射部材における単位面積当たりの開口面積に係る分布によって光源配置部と光源非配置部とで単位面積当たりの透過光量を異ならせることができる。従って、出光側反射部材自身の光反射率や光透過率については全域にわたって一定とすることが可能となり、出光側反射部材の製造コストを低廉化する上で好適となる。
【００１０】
（２）前記支持部材は、複数の前記開口部のいずれかに挿通されてその開口縁に当接する。このようにすれば、出光側反射部材は、複数の開口部のいずれかに挿通される支持部材がその開口部の開口縁に当接されることで、光源に対する平面配置が固定化される。
【００１１】
（３）前記出光側反射部材は、複数の前記開口部における個々の開口面積が前記光源から遠ざかるほど大きくなっており、前記支持部材は、前記出光側反射部材のうち前記光源非配置部と重畳する位置に配される。このようにすれば、光源非配置部における開口部の開口面積は、光源配置部における開口部の開口面積よりも大きくなる。支持部材は、出光側反射部材のうち光源非配置部と重畳する位置に配されているので、仮に光源配置部と重畳する位置に配された場合に比べると、支持部材が挿通される開口部の開口面積が大きなものとなる。これにより、支持部材を太くすることができるので、光学部材をより安定的に支持することができる。
【００１２】
（４）前記光源は、前記底部に沿って複数が間隔を空けて並んで配されており、前記支持部材は、少なくとも前記光源の並び方向について隣り合う前記光源の間に配される。このように、複数の光源が底部に沿って間隔を空けて並んで配される構成においては、出光側反射部材が大型化する傾向にあるものの、出光側反射部材を底部側から支持する支持部材が少なくとも光源の並び方向について隣り合う光源の間に配されることで、出光側反射部材を安定的に支持することができる。
【００１３】
（５）前記支持部材には、前記出光側反射部材における前記開口部の開口縁を前記底部側から支持する支持突部が設けられている。このようにすれば、支持突部によって出光側反射部材における開口部の開口縁を底部側から支持することで、出光側反射部材が光源に近づくような位置ずれが生じ難くなる。
【００１４】
（６）前記支持部材には、前記出光側反射部材における前記開口部の開口縁が係止される係止溝が形成されている。このようにすれば、係止溝に出光側反射部材における開口部の開口縁が係止されることで、出光側反射部材が光源に近づくような位置ずれが生じ難くなる。
【００１５】
（７）前記出光側反射部材は、前記底部に並行する平坦状部と、前記平坦状部の外端から突出して前記平坦状部から遠ざかるに従って前記光学部材に近づくよう傾斜状をなす傾斜状部と、を有しており、前記支持部材には、前記平坦状部と重畳する位置に配されるものと、前記傾斜状部と重畳する位置に配されるものと、が含まれている。このようにすれば、出光側反射部材が平坦状部に加えて傾斜状部を有しているので、光源から発せられた光を傾斜状部により反射することでその反射光をシャーシ及び光学部材の外端付近まで効率的に導くことができ、それにより輝度ムラがより生じ難いものとなる。支持部材に、平坦状部と重畳する位置に配されるものに加えて傾斜状部と重畳する位置に配されるものが含まれているから、傾斜状部を有する出光側反射部材の光学性能が良好に発揮される。
【００１６】
（８）前記支持部材は、前記底部と前記出光側反射部材との間に介在する形で配される出光側反射部材支持部と、前記出光側反射部材と前記光学部材との間に介在する形で配され前記出光側反射部材支持部に対して取り付けられて前記出光側反射部材支持部との間で前記出光側反射部材を挟み込む光学部材支持部と、から構成される。このようにすれば、出光側反射部材支持部により出光側反射部材を底部側から支持した状態で光学部材支持部を出光側反射部材支持部に対して取り付けると、光学部材支持部と出光側反射部材支持部との間に出光側反射部材が挟み込まれることで、光源に対する出光側反射部材の平面配置が固定化される。
【００１７】
上記課題を解決するために、本発明の表示装置は、上記記載のいずれかの照明装置と、前記照明装置から照射される光を利用して画像を表示する表示パネルと、を備える。このような構成の表示装置によれば、照明装置からの光に輝度ムラが生じ難いものとなっているから、表示品位に優れた表示を実現することができる。
【００１８】
上記課題を解決するために、本発明のテレビ受信装置は、上記記載の表示装置を備える。このようなテレビ受信装置によれば、表示装置の表示品位が優れたものとされているから、表示品位に優れたテレビ画像の表示を実現することができる。
【発明の効果】
【００１９】
本発明によれば、輝度ムラの発生を抑制することができる。
【図面の簡単な説明】
【００２０】
【図１】本発明の実施形態１に係るテレビ受信装置の概略構成を示す分解斜視図
【図２】テレビ受信装置が備える液晶表示装置の概略構成を示す分解斜視図
【図３】液晶表示装置に備わるバックライト装置の平面図
【図４】図３のiv-iv線断面図
【図５】図３のv-v線断面図
【図６】バックライト装置における出光側反射シート付近を拡大した平面図
【図７】図６のvii-vii線断面図
【図８】本発明の実施形態２に係る支持部材及び出光側反射シートの拡大断面図
【図９】支持部材に対して出光側反射シートを取り付ける前の状態を示す拡大断面図
【図１０】本発明の実施形態３に係るバックライト装置の平面図
【図１１】バックライト装置における出光側反射シート付近を拡大した平面図
【図１２】図１０のxii-xii線断面図
【図１３】本発明の実施形態４に係る液晶表示装置を短辺方向に沿って切断した断面図
【図１４】本発明の実施形態５に係る支持部材及び出光側反射シートの拡大断面図
【図１５】出光側反射シート支持部に対して出光側反射シート及び拡散板支持部を取り付ける前の状態を示す拡大断面図
【図１６】本発明の実施形態６に係るバックライト装置における出光側反射シート付近を拡大した平面図
【図１７】本発明の実施形態７に係る液晶表示装置の断面図
【発明を実施するための形態】
【００２１】
＜実施形態１＞
本発明の実施形態１を図１から図７によって説明する。本実施形態では、テレビ受信装置１０ＴＶ、テレビ受信装置１０ＴＶに用いられる液晶表示装置１０、及び液晶表示装置１０に用いられるバックライト装置１２について例示する。なお、各図面の一部にはＸ軸、Ｙ軸及びＺ軸を示しており、各軸方向が各図面で示した方向となるように描かれている。また、図４及び図５などに示す上側を表側とし、同図下側を裏側とする。
【００２２】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００２３】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に電界印加に伴って光学特性が変化する物質である液晶分子を含む液晶層（図示せず）が封入された構成とされる。一方のガラス基板（アレイ基板、アクティブマトリクス基板）には、互いに直交するソース配線とゲート配線とに接続されたスイッチング素子（例えばＴＦＴ）と、ソース配線とゲート配線とに囲まれた方形状の領域に配されてスイッチング素子に接続される画素電極と、がマトリクス状に平面配置される他、配向膜等が設けられている。他方のガラス基板（対向基板、ＣＦ基板）には、Ｒ（赤色），Ｇ（緑色），Ｂ（青色）等の各着色部が所定配列でマトリクス状に平面配置されたカラーフィルタが設けられる他、各着色部間に配されて格子状をなす遮光層（ブラックマトリクス）、画素電極と対向状をなすベタ状の対向電極、配向膜等が設けられている。なお、両ガラス基板の外側にはそれぞれ偏光板が配されている。また、液晶パネル１１における長辺方向がＸ軸方向と一致し、短辺方向がＹ軸方向と一致し、さらに厚さ方向がＺ軸方向と一致している。
【００２４】
続いて、バックライト装置１２について詳しく説明する。バックライト装置１２は、図２に示すように、表側（出光側、液晶パネル１１側）に開口する光出射部（出光部、開口部）１４ｂを有した略箱型をなすシャーシ１４と、シャーシ１４の光出射部１４ｂを覆うようにして配される複数の光学部材１５と、複数の光学部材１５における外周縁部の間に介在する形で配されるフレーム１６と、を備える。さらに、シャーシ１４内には、ＬＥＤ（光源）１７と、ＬＥＤ１７が実装されたＬＥＤ基板１８と、ＬＥＤ１７と光学部材１５との間に介在する形で配される出光側反射シート（出光側反射部材、中間位置反射部材）１９と、シャーシ１４の内面に沿って延在する形で配されるシャーシ側反射シート（シャーシ側反射部材、主反射部材）２０と、光学部材１５及び出光側反射シート１９を支持する支持部材２１と、が備えられる。このように、本実施形態に係るバックライト装置１２は、シャーシ１４内において液晶パネル１１及び光学部材１５の直下位置にＬＥＤ１７が配されてその発光面１７ａが対向状をなす、いわゆる直下型とされる。以下では、バックライト装置１２の各構成部品について詳しく説明する。
【００２５】
シャーシ１４は、例えば合成樹脂材料からなり、図３から図５に示すように、液晶パネル１１と同様に横長な方形状（矩形状、長方形状）をなす底部１４ａと、底部１４ａの外周縁部から表側（出光側）に向けて立ち上がる側部１４ｃと、から構成されており、全体としては表側に向けて開口した浅い略箱型（略浅皿状）をなしている。シャーシ１４は、その長辺方向がＸ軸方向と一致し、短辺方向がＹ軸方向と一致している。シャーシ１４における底部１４ａは、ＬＥＤ基板１８に対して裏側、つまりＬＥＤ１７に対してその発光面１７ａ側（出光側）とは反対側に配されている。シャーシ１４における側部１４ｃは、底部１４ａの外周縁部に対して全周にわたって連なるとともに、表側の開口端側（光出射部１４ｂ側、底部１４ａ側とは反対側）ほど開口間口が広くなるよう全体としてラッパ状をなしている。詳しくは、側部１４ｃは、底部１４ａにおける各辺の外端部からそれぞれ立ち上がるとともに、底部１４ａの板面に対して傾斜状をなしている。側部１４ｃの立ち上がり先端部には、相対的に低い第１段部１４ｃ１と、相対的に高い第２段部１４ｃ２と、が設けられており、このうちの第１段部１４ｃ１に後述する光学部材１５（具体的には拡散板１５ａ）及びシャーシ側反射シート２０の各外周縁部が載せられるのに対し、第２段部１４ｃ２に液晶パネル１１の外周縁部が載せられるようになっている。また、側部１４ｃには、フレーム１６及びベゼル１３が固定されている。
【００２６】
光学部材１５は、図２に示すように、液晶パネル１１及びシャーシ１４と同様に平面に視て横長の方形状をなしている。光学部材１５は、シャーシ１４の光出射部１４ｂを覆う形で配され、ＬＥＤ１７に対して出光経路の出口側に配されている。光学部材１５は、相対的に裏側（ＬＥＤ１７に近い側、出光側とは反対側）に配される拡散板１５ａと、相対的に表側（液晶パネル１１に近い側、出光側）に配される複数の光学シート１５ｂと、から構成されている。このうちの拡散板１５ａは、図４及び図５に示すように、その外周縁部が側部１４ｃの第１段部１４ｃ１に載せられることで、シャーシ１４の光出射部１４ｂを覆うとともに、光学シート１５ｂと出光側反射シート１９との間に介在して配される。拡散板１５ａは、出光側反射シート１９に対して表側、つまり出光側に所定の間隔を空けて対向状をなしている。拡散板１５ａは、光学シート１５ｂよりも板厚が厚い、ほぼ透明な樹脂製の基材内に拡散粒子を多数分散して設けた構成とされ、透過する光を拡散させる機能を有する。
【００２７】
光学シート１５ｂは、図４及び図５に示すように、その外周縁部がフレーム１６に載せられることで、シャーシ１４の光出射部１４ｂを覆うとともに、液晶パネル１１と拡散板１５ａとの間に介在して配される。光学シート１５ｂは、拡散板１５ａよりも板厚が薄いシート状をなしていて合計で４枚が備えられている。具体的には、光学シート１５ｂは、光に等方性集光作用を付与するマイクロレンズシート１５ｂ１と、光に異方性集光作用を付与するプリズムシート１５ｂ２と、光を偏光反射する反射型偏光シート１５ｂ３と、から構成される。光学シート１５ｂは、裏側からマイクロレンズシート１５ｂ１、プリズムシート１５ｂ２、反射型偏光シート１５ｂ３の順で積層されている。
【００２８】
マイクロレンズシート１５ｂ１は、基材と、基材における表側の板面に設けられるマイクロレンズ部と、を有しており、このうちのマイクロレンズ部が、Ｘ軸方向及びＹ軸方向に沿って多数ずつマトリクス状（行列状）に並ぶ形で平面配置される単位マイクロレンズから構成されている。単位マイクロレンズは、平面に視て略円形をなすとともに全体として略半球状をなす凸レンズとされる。このような構成により、マイクロレンズシート１５ｂ１は、光に対し、Ｘ軸方向及びＹ軸方向について等方的に集光作用（異方性集光作用）を付与するものとされる。プリズムシート１５ｂ２は、基材と、基材における表側の板面に設けられるプリズム部と、を有しており、このうちのプリズム部が、Ｘ軸方向に沿って延在するとともにＹ軸方向に沿って多数並んで配される単位プリズムから構成されている。単位プリズムは、平面に視てＸ軸方向に並行するレール状（線状）をなすとともにＹ軸方向に沿った断面形状が略二等辺三角形状とされる。このような構成により、プリズムシート１５ｂ２は、光に対し、Ｙ軸方向（単位プリズムの並び方向、単位プリズムの延在方向と直交する方向）について選択的に集光作用（異方性集光作用）を付与するものとされる。反射型偏光シート１５ｂ３は、光を偏光反射する反射型偏光フィルムと、反射型偏光フィルムを表裏から挟み込む一対の拡散フィルムと、から構成される。反射型偏光フィルムは、例えば屈折率の互いに異なる層を交互に積層した多層構造を有しており、光に含まれるｐ波を透過させ、ｓ波を裏側へ反射させる構成となっている。反射型偏光フィルムによって反射されたｓ波は、後述するシャーシ側反射シート２０などによって、再度表側に反射され、その際に、ｓ波とｐ波に分離する。このように、反射型偏光シート１５ｂ３は、反射型偏光フィルムを備えることで、本来ならば、液晶パネル１１の偏光板によって吸収されるｓ波を、裏側（シャーシ側反射シート２０側）へ反射させることで再利用することができ、光の利用効率（ひいては輝度）を高めることができる。一対の拡散フィルムは、ポリカーボネートなどの合成樹脂材料からなり、反射型偏光フィルム側とは反対側の板面にエンボス加工が施されることで、光に拡散作用を付与するものとされる。
【００２９】
フレーム１６は、図２に示すように、全体として液晶パネル１１及び光学部材１５の外周縁部に沿う枠状をなしており、その断面形状が略ブロック状をなしている。フレーム１６は、図４及び図５に示すように、側部１４ｃの第１段部１４ｃ１に載せられた拡散板１５ａの外周縁部に対して表側から載せられることで、拡散板１５ａ及び後述するシャーシ側反射シート２０の各外周縁部を表側から押さえるとともに第１段部１４ｃ１との間で挟持するものとされる。一方、フレーム１６には、その表側に光学シート１５ｂの外周縁部が載せられて光学シート１５ｂの外周縁部を裏側から支持しており、それにより光学シート１５ｂと拡散板１５ａとの間に一定の間隔を保持している。このような構成のフレーム１６によれば、光学シート１５ｂに付与される厚み方向（Ｚ軸方向）についての保持力が、拡散板１５ａに付与される厚み方向についての保持力よりも相対的に低くなるので、光学シート１５ｂについては熱膨張や熱収縮に伴う伸縮を逃がし易くなり、そのような伸縮に伴って生じ得る皺などの発生を抑制することができる。しかも、フレーム１６に載せられる光学シート１５ｂの外周縁部が、フレーム１６及び拡散板１５ａの外周縁部と平面に視て重畳する配置となっているので、仮にフレーム１６によって表側から押さえられる拡散板１５ａに対して光学シートを直接載せるようにした場合に比べると、拡散板１５ａの外周縁部が相対的に外側に配されることになり、もって狭額縁化を図る上で好適となる。
【００３０】
次に、ＬＥＤ１７及びＬＥＤ１７が実装されるＬＥＤ基板１８について説明する。ＬＥＤ１７は、図４に示すように、ＬＥＤ基板１８上に表面実装されるとともにその発光面１７ａがＬＥＤ基板１８側とは反対側（シャーシ１４における）を向いた、いわゆる頂面発光型とされている。ＬＥＤ１７は、発光面１７ａが光学部材１５及び出光側反射シート１９の板面と対向状をなす位置関係にある。ＬＥＤ１７は、ＬＥＤ基板１８の板面に固着される基板部上に半導体発光素子であるＬＥＤチップ（ＬＥＤ素子）を樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。ＬＥＤ１７における平面に視た配光分布は、ＬＥＤ１７の中心位置にて発光量が最大となり、その中心位置から遠ざかるに連れて発光量が減少する傾向にあり、概ね正規分布に近似したものとなっている。
【００３１】
ＬＥＤ基板１８は、図３及び図４に示すように、平面に視てＬＥＤ１７よりも一回り大きな方形状をなしており、シャーシ１４内において底部１４ａのほぼ中央位置に配されている。ＬＥＤ基板１８の基材は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。この反射層によりＬＥＤ１７から出射されてＬＥＤ基板１８側に戻された光を反射することで、その反射光を表側に向けて立ち上げて出射光として利用することが可能とされる。なお、ＬＥＤ基板１８の基材に用いる材料としては、セラミックなどの絶縁材料を用いることも可能である。このＬＥＤ基板１８の基材の板面のうち、表側を向いた板面（光学部材１５側を向いた板面）には、上記した構成のＬＥＤ１７が表面実装されており、ここが実装面１８ａとされる。ＬＥＤ基板１８には、その実装面１８ａのほぼ中心にＬＥＤ１７が１つのみ実装されている。なお、ＬＥＤ基板１８には、図示しない配線部材を介して図示しないＬＥＤ駆動基板（光源駆動基板）から駆動電力が供給されるようになっている。
【００３２】
シャーシ側反射シート２０は、表面が光の反射性に優れた白色を呈するものとされており、図２から図５に示すように、シャーシ１４の内面をほぼ全域にわたって覆う大きさを有している。このシャーシ側反射シート２０によりシャーシ１４内の光を表側（光出射側、光学部材１５側）に向けて反射させることができる。シャーシ側反射シート２０は、全体としてはシャーシ１４の内面に倣って略擂鉢状をなしており、底部１４ａに沿って配される底側反射部２０ａと、側部１４ｃに沿って配されるよう底側反射部２０ａの各外端から表側に立ち上がるとともに底側反射部２０ａに対して傾斜状をなす４つの立ち上がり反射部２０ｂと、各立ち上がり反射部２０ｂの外端から外向きに延出するとともにシャーシ１４の側部１４ｃの第１段部１４ｃ１に載せられる延出部（外縁部）２０ｃと、から構成されている。
【００３３】
シャーシ側反射シート２０の底側反射部２０ａは、図４及び図５に示すように、シャーシ１４の底部１４ａ、光学部材１５及び出光側反射シート１９の板面に並行する形で延在する構成とされているため、光学部材１５及び出光側反射シート１９までのＺ軸方向についての各間隔が面内の全域にわたってそれぞれほぼ一定とされている。底側反射部２０ａには、ＬＥＤ基板１８と平面に視て重畳する位置にＬＥＤ基板１８を挿通する挿通孔（光源挿通孔）２０ｄが開口して設けられている。この挿通孔２０ｄは、シャーシ１４におけるＬＥＤ基板１８の平面配置に対応してＸ軸方向及びＹ軸方向について底側反射部２０ａのほぼ中心に配置されている。立ち上がり反射部２０ｂは、立ち上がり基端位置から立ち上がり先端位置に至るまで底側反射部２０ａ、光学部材１５及び出光側反射シート１９の板面に対して傾斜状をなしている。従って、立ち上がり反射部２０ｂと光学部材１５との間のＺ軸方向についての間隔は、立ち上がり基端位置から立ち上がり先端位置へ向けて連続的に漸次減少するものとされており、立ち上がり基端位置にて最大（底側反射部２０ａと光学部材１５との間のＺ軸方向についての間隔とほぼ等しい大きさ）となり、立ち上がり先端位置にて最小となっている。立ち上がり反射部２０ｂは、底側反射部２０ａに対して傾斜状をなしていることで、反射光に所定の角度付けをしてバックライト装置１２の外端付近へと導くことができる。
【００３４】
出光側反射シート１９は、上記したシャーシ側反射シート２０と同様に、表面が光の反射性に優れた白色を呈するものとされている。出光側反射シート１９は、好ましくは、シャーシ側反射シート２０と同一材料からなるものとされて部材の共通化が図られており、それにより部材調達コストを低下させることができる。出光側反射シート１９は、図４及び図５に示すように、Ｚ軸方向（光学部材１５の板面の法線方向）について、ＬＥＤ１７と光学部材１５を構成する拡散板１５ａとの間に介在する形で配されていてその表面にて光を反射するものとされる。つまり、出光側反射シート１９は、Ｚ軸方向についてＬＥＤ１７と拡散板１５ａとの間の中間位置に配置されていてＬＥＤ１７及び拡散板１５ａに対してそれぞれ所定の間隔を空けて対向している。出光側反射シート１９は、図３に示すように、平面に視て方形状をなしており、その平面に視た大きさがシャーシ側反射シート２０の底側反射部２０ａ（シャーシ１４の底部１４ａ）の同大きさよりも小さなものとされる。より詳しくは、出光側反射シート１９は、ほぼ正方形状とされており、各辺の長さ寸法が底側反射部２０ａの短辺寸法よりも少し小さなものとされる。出光側反射シート１９は、底側反射部２０ａと同心状に配されており、底側反射部２０ａにおける長辺方向（Ｘ軸方向）についての中央側部分に対して平面に視て重畳するものの、底側反射部２０ａにおける長辺方向についての両端側部分に対しては平面に視てそれぞれ非重畳とされる。出光側反射シート１９は、ＬＥＤ１７と平面に視て重畳する部分を含むＬＥＤ配置部１９ａと、ＬＥＤ配置部１９ａの周りのＬＥＤ非配置部１９ｂと、に区分される。ＬＥＤ配置部１９ａは、ＬＥＤ１７と重畳する部分と、その周りを取り囲んでＬＥＤ１７とは非重畳とされる枠状部分と、からなる。ＬＥＤ非配置部１９ｂは、出光側反射シート１９に占める面積比率がＬＥＤ配置部１９ａの同面積比率よりも大きなものとされる。
【００３５】
出光側反射シート１９には、複数の開口部２２が所定の分布でもって平面配置されることで、ＬＥＤ１７から発せられた光を全て反射することなく、光の一部を透過するものとされる。そして、出光側反射シート１９は、図６に示すように、複数の開口部２２の分布によってその面内における単位面積当たりの透過光量に係る分布が制御されている。具体的には、開口部２２は、出光側反射シート１９のうちＬＥＤ非配置部１９ｂのみに選択的に形成されており、ＬＥＤ配置部１９ａには非形成とされている。従って、ＬＥＤ１７から発せられた光は、開口部２２が非形成とされたＬＥＤ配置部１９ａを透過することが殆どなく、開口部２２が形成されたＬＥＤ非配置部１９ｂを透過するものとされている。これにより、ＬＥＤ配置部１９ａにおける単位面積当たりの開口面積及び透過光量と、ＬＥＤ非配置部１９ｂにおける単位面積当たりの開口面積及び透過光量と、を比較したとき、前者が後者よりも少なく、逆に後者が前者よりも多くなっている。言い換えると、ＬＥＤ配置部１９ａは、光反射率が相対的に高くて光透過率が相対的に低くなっているのに対し、ＬＥＤ非配置部１９ｂは、光反射率が相対的に低くて光透過率が相対的に高くなっている。ここで、ＬＥＤ１７における平面に視た配光分布を中心側の多発光領域と外周側の少発光領域とに区分したとき、出光側反射シート１９がＺ軸方向について正規の取付位置に配置されていれば、ＬＥＤ配置部１９ａが多発光領域と平面に視て重畳し、ＬＥＤ非配置部１９ｂが少発光領域と平面に視て重畳するよう配される。
【００３６】
さらには、複数の開口部２２は、図６に示すように、ＬＥＤ非配置部１９ｂにおいてＬＥＤ１７の外形に倣ってマトリクス状に平面配置されており、平面に視て中央側（ＬＥＤ配置部１９ａ側）から外周端側へ向かうに連れて、つまりＬＥＤ配置部１９ａ（ＬＥＤ１７）から遠ざかるに連れて径寸法及び開口面積が大きくなり、逆に外周端側から中央側へ向かうに連れて、つまりＬＥＤ配置部１９ａに近づくに連れて径寸法及び開口面積が小さくなっている。ＬＥＤ非配置部１９ｂの面内に配された複数の開口部２２のうち、出光側反射シート１９における最外周端の四隅の角位置に配されたものに係る径寸法及び開口面積が最大となり、最内周端にあってＬＥＤ配置部１９ａに隣接するものに係る径寸法及び開口面積が最小となっている。このように、開口部２２の径寸法及び開口面積は、平面に視たＬＥＤ配置部１９ａ（ＬＥＤ１７）からの距離に比例する形で変化するものとされる。このような構成により、ＬＥＤ非配置部１９ｂにおける単位面積当たりの開口面積及び透過光量は、平面に視たＬＥＤ配置部１９ａ（ＬＥＤ１７）からの距離に比例する形で変化することになり、もって拡散板１５ａに照射される光量がその面内において均一化されるようになっている。このように出光側反射シート１９における開口部２２の分布によって、出光側反射シート１９における単位面積当たりの透過光量に係る分布を制御しているので、出光側反射シート１９自身の光反射率や光透過率については全域にわたって一定とすることが可能となり、もって出光側反射シート１９の製造コストを低廉化する上で好適となる。
【００３７】
支持部材２１は、ポリカーボネートなどの合成樹脂製とされており、表面が光の反射性に優れた白色を呈する。支持部材２１は、図５に示すように、シャーシ１４の底部１４ａと光学部材１５を構成する拡散板１５ａとの間に介在する形で配されて拡散板１５ａを支持するものとされる。支持部材２１は、シャーシ１４の底部１４ａ及びシャーシ側反射シート２０の底側反射部２０ａの各板面に沿う本体部２１ａと、本体部２１ａから裏側、つまり底部１４ａ及び底側反射部２０ａ側に向けて突出して底部１４ａに固定される固定部２１ｂと、本体部２１ａから表側、つまり拡散板１５ａ側に向けて突出して拡散板１５ａにおける裏側の板面に当接される支持部２１ｃと、を少なくとも備える。本体部２１ａは、平面に視て略円形状をなしており、底側反射部２０ａを底部１４ａとの間で挟み込んで保持するものとされる。固定部２１ｂは、底部１４ａに開口形成された取付孔１４ａ１を通して底部１４ａの裏側に突き出すとともに取付孔１４ａ１の孔縁に対して弾性係止する複数の弾性係止片を有している。なお、シャーシ側反射シート２０の底側反射部２０ａには、取付孔１４ａ１に連通する連通孔２０ａ１が開口形成されている。支持部２１ｃは、径寸法が基端側から先端側に向けて次第に減少する略円錐状をなしており、拡散板１５ａを裏側から支持することで、拡散板１５ａに撓みや反りなどの変形が生じ難くなっている。
【００３８】
そして、支持部材２１は、図６及び図７に示すように、出光側反射シート１９と平面に視て重畳する位置に配されて出光側反射シート１９を裏側、つまり底部１４ａ側から支持するとともにＬＥＤ１７に対する出光側反射シート１９の平面配置を固定化するものとされる。詳しくは、支持部材２１は、出光側反射シート１９のうちのＬＥＤ非配置部１９ｂと平面に視て重畳する配置とされていて支持部２１ｃが開口部２２に挿通されている。より具体的には、支持部材２１は、出光側反射シート１９における四隅の角部と平面に視て重畳する位置に４つがそれぞれ配置されており、それぞれの支持部２１ｃが、ＬＥＤ非配置部１９ｂの面内に配された複数の開口部２２のうち、最外周端の四隅の角位置に配されて径寸法及び開口面積が最大となる４つの開口部２２にそれぞれ挿通されている。これにより、支持部材２１の支持部２１ｃを最大限に太くすることができるので、拡散板１５ａ及び出光側反射シート１９をより安定的に支持することができる。開口部２２に挿通された支持部２１ｃは、出光側反射シート１９をその厚さ方向（Ｚ軸方向）に貫通していて、先端部が拡散板１５ａに対して当接されるのに対し、開口部２２内に通された部分が出光側反射シート１９における開口部２２の開口縁に対して当接されている。支持部２１ｃのうち、正規の取付位置とされた出光側反射シート１９の開口部２２に通される部分の径寸法は、支持部２１ｃが通される開口部２２の径寸法とほぼ同じかそれよりもやや小さい程度とされている。支持部２１ｃが出光側反射シート１９における開口部２２の開口縁に対して当接されることで、出光側反射シート１９がその板面に沿う方向（Ｘ軸方向及びＹ軸方向）についての全方位に関して位置決めされる。さらには、支持部材２１には、出光側反射シート１９を裏側から支持する支持突部２１ｄが支持部２１ｃの外面から突出する形で設けられている。支持突部２１ｄは、支持部２１ｃのうち、正規の取付位置とされた出光側反射シート１９の開口部２２に通される部分に対して裏側に隣接する位置に配されており、支持部２１ｃの外周面から全周にわたって径方向に沿って外側に突き出す鍔状をなしている。この支持突部２１ｄが出光側反射シート１９における開口部２２の開口縁に対して裏側から当接されることで、出光側反射シート１９がＺ軸方向について正規位置からＬＥＤ１７に近づくような位置ずれが生じ難くなっている。
【００３９】
以上のように、出光側反射シート１９は、支持部材２１によって底部１４ａ側から支持されるとともにＬＥＤ１７に対する平面配置が固定化されることで、Ｘ軸方向、Ｙ軸方向及びＺ軸方向についてそれぞれＬＥＤ１７に対する位置決めが図られる。これにより、出光側反射シート１９の光学性能が良好に発揮され、もって拡散板１５ａの出射光に輝度ムラが生じ難いものとなる。また、支持部材２１が拡散板１５ａの支持機能と出光側反射シート１９の位置決め機能とを併有しているので、部品点数の削減などが図られる。
【００４０】
本実施形態は以上のような構造であり、続いてその作用を説明する。上記した構成の液晶表示装置１０の電源をＯＮすると、図示しないコントロール基板のパネル制御回路により液晶パネル１１の駆動が制御されるとともに、図示しないＬＥＤ駆動回路基板のＬＥＤ駆動回路からの駆動電力がＬＥＤ基板１８のＬＥＤ１７に供給されることでその駆動が制御される。点灯されたＬＥＤ１７からの光は、図４及び図５に示すように、直接的に光学部材１５に照射されたり、出光側反射シート１９やシャーシ側反射シート２０により反射されて間接的に光学部材１５に照射されたりして光学部材１５にて所定の光学作用が付与された後に液晶パネル１１へと照射されることで、液晶パネル１１の表示領域にて画像の表示に利用される。以下、バックライト装置１２に係る作用について詳しく説明する。
【００４１】
ＬＥＤ１７から表側に向けて発せられた光は、その殆どがＺ軸方向についてＬＥＤ１７と拡散板１５ａとの間に介在する形で配される出光側反射シート１９のＬＥＤ配置部１９ａへと向かってＬＥＤ配置部１９ａにより一旦反射される。ＬＥＤ１７から出光側反射シート１９のＬＥＤ非配置部１９ｂへと向かう光については、ＬＥＤ非配置部１９ｂにて反射されるか開口部２２を通って直接的に拡散板１５ａへと照射される。このうち、拡散板１５ａに直接的に照射される光には、拡散板１５ａのうちＬＥＤ１７の直上部分に照射されるものが殆ど含まれないものとされる。出光側反射シート１９にて反射された光は、裏側へ向かってシャーシ側反射シート２０の底側反射部２０ａにて反射されて再び出光側反射シート１９へ向かうか、底側反射部２０ａまたは立ち上がり反射部２０ｂにて反射されて拡散板１５ａへ向かう。このうち、再び出光側反射シート１９へ向かう光は、出光側反射シート１９にて反射されて再び底側反射部２０ａや立ち上がり反射部２０ｂにて反射されるか開口部２２を通って拡散板１５ａへと向かうものとされる。立ち上がり反射部２０ｂにより反射される光には、底側反射部２０ａに対する立ち上がり反射部２０ｂの傾斜角度に基づく角度付けがなされることで、拡散板１５ａに対してその面内に適度に拡散する形で照射されるようになっている。このように、ＬＥＤ１７から発せられた光の殆どについては、出光側反射シート１９及びシャーシ側反射シート２０により繰り返し反射されることで、拡散板１５ａに対して万遍なく照射されることになり、拡散板１５ａのうちＬＥＤ１７の直上部分に対する照射光量が局所的に多くなることが避けられる。これにより、拡散板１５ａに照射される光量がその面内において均一化され、拡散板１５ａの出射光に輝度ムラが生じ難くなっている。
【００４２】
ところで、出光側反射シート１９が奏する上記のような光学作用は、出光側反射シート１９とＬＥＤ１７との位置関係が適切なものに保たれることが前提となっている。つまり、出光側反射シート１９が正規の取付位置からＸ軸方向、Ｙ軸方向及びＺ軸方向のいずれかに位置ずれした場合には、出光側反射シート１９の光学作用が適切に発揮されなくなり、拡散板１５ａに照射される光量に係る面内分布にムラが生じるおそれがある。例えば、出光側反射シート１９が正規の取付位置からＸ軸方向またはＹ軸方向について位置ずれした場合には、ＬＥＤ配置部１９ａ及びＬＥＤ非配置部１９ｂがＬＥＤ１７に対して偏心配置されることになるため、ＬＥＤ１７の配光分布における多発光領域の一部（少発光領域に隣接する領域）がＬＥＤ配置部１９ａとは非重畳となってＬＥＤ非配置部１９ｂと重畳する配置となり得る。そうなると、ＬＥＤ非配置部１９ｂの一部に少発光領域よりも多い光が照射されるため、その光が開口部２２を通って拡散板１５ａにおける特定の箇所に局所的に照射され、結果として当該照射箇所が局所的に明るい明部として使用者に視認されるおそれがある。一方、出光側反射シート１９が正規の取付位置からＺ軸方向についてＬＥＤ１７に近づくよう位置ずれした場合には、ＬＥＤ１７の配光分布における多発光領域に加えて少発光領域の一部（多発光領域に隣接する領域）がＬＥＤ配置部１９ａと重畳する配置となり得る。そうなると、ＬＥＤ配置部１９ａに照射される光量が増加してＬＥＤ非配置部１９ｂに照射される光量が減少することになり、それに伴って出光側反射シート１９と底側反射部２０ａとの間で反射される光の分布や開口部２２を通る光の分布が、出光側反射シート１９に係るＺ軸方向についての位置ずれ量に応じて変動することになる。結果として、拡散板１５ａのうちＬＥＤ１７の直上部分において光量が不足しがちとなって、その部分が局所的に暗い暗部として使用者に視認されるおそれがある。
【００４３】
その点、本実施形態に係る出光側反射シート１９は、図６及び図７に示すように、拡散板１５ａを支持する支持部材２１によって裏側から支持されるとともに、開口部２２に支持部材２１の支持部２１ｃが挿通されて支持部２１ｃが開口部２２の開口縁に当接されているので、Ｚ軸方向についてＬＥＤ１７に近づくよう変位する位置ずれの発生が抑制されるとともに、Ｘ軸方向及びＹ軸方向についての配置が位置ずれが生じ難いものとなる。これにより、ＬＥＤ１７に対する出光側反射シート１９を構成するＬＥＤ配置部１９ａ及びＬＥＤ非配置部１９ｂ（各開口部２２）のＸ軸方向及びＹ軸方向についての位置関係及びＺ軸方向についての位置関係が適切な状態に維持されるので、出光側反射シート１９の光学機能を適切に発揮させることができる。もって、ＬＥＤ１７の光を拡散板１５ａに対してその面内において均一に照射させることができ、その結果拡散板１５ａからの出射光が面内において均一化されて輝度ムラが視認され難いものとなる。
【００４４】
以上説明したように本実施形態のバックライト装置（照明装置）１２は、ＬＥＤ（光源）１７と、ＬＥＤ１７が配される底部１４ａとＬＥＤ１７に対して底部１４ａ側とは反対側に配されて光を出射させる光出射部１４ｂとを有するシャーシ１４と、光出射部１４ｂを覆う形で配される光学部材１５に含まれる拡散板１５ａと、ＬＥＤ１７と光学部材１５に含まれる拡散板１５ａとの間に介在する形で配されて光を反射する出光側反射シート（出光側反射部材）１９であって、少なくともＬＥＤ１７と重畳する部分を含むＬＥＤ配置部（光源配置部）１９ａが、その周りのＬＥＤ非配置部（光源非配置部）１９ｂよりも単位面積当たりの透過光量が少ない出光側反射シート１９と、底部１４ａと光学部材１５に含まれる拡散板１５ａとの間に介在する形で配されて光学部材１５に含まれる拡散板１５ａを支持する支持部材２１であって、出光側反射シート１９と重畳する位置に配されて少なくとも出光側反射シート１９を底部１４ａ側から支持するとともにＬＥＤ１７に対する出光側反射シート１９の平面配置を固定化する支持部材２１と、を備える。
【００４５】
このようにすれば、ＬＥＤ１７から発せられた光は、ＬＥＤ１７と光学部材１５に含まれる拡散板１５ａとの間に介在する形で配される出光側反射シート１９により反射されるなどしてシャーシ１４の光出射部１４ｂに配された光学部材１５に含まれる拡散板１５ａに到達し、そこで光学作用を付与されつつ外部へ出射される。出光側反射シート１９は、少なくともＬＥＤ１７と重畳する部分を含むＬＥＤ配置部１９ａが、その周りのＬＥＤ非配置部１９ｂよりも単位面積当たりの透過光量が少ないものとされているから、光学部材１５に含まれる拡散板１５ａに照射される光量がその面内において均一化されるようになっている。
【００４６】
光学部材１５に含まれる拡散板１５ａは、シャーシ１４の底部１４ａと光学部材１５に含まれる拡散板１５ａとの間に介在する形で配される支持部材２１により支持されるので、撓みや反りなどの変形が生じ難くなる。そして、光学部材１５に含まれる拡散板１５ａを支持する支持部材２１は、出光側反射シート１９と重畳する位置に配されて少なくとも出光側反射シート１９を底部１４ａ側から支持するとともにＬＥＤ１７に対する出光側反射シート１９の平面配置を固定化するものとされるから、出光側反射シート１９がＬＥＤ１７に近づくような位置ずれが生じ難くなるとともに、ＬＥＤ１７に対する出光側反射シート１９の平面配置が位置ずれし難くなる。これにより、出光側反射シート１９の光学性能が良好に発揮され、もって光学部材１５に含まれる拡散板１５ａの出射光に輝度ムラが生じ難いものとなる。また、支持部材２１が光学部材１５に含まれる拡散板１５ａの支持機能と出光側反射シート１９の位置決め機能とを併有しているので、部品点数の削減などが図られる。
【００４７】
また、出光側反射シート１９には、光を透過する開口部２２が複数設けられていて、ＬＥＤ配置部１９ａがＬＥＤ非配置部１９ｂよりも単位面積当たりの開口面積が小さい。このようにすれば、ＬＥＤ配置部１９ａは、ＬＥＤ非配置部１９ｂよりも単位面積当たりの開口面積が小さいので、それに応じて開口部２２を透過する透過光量も少なくなる。このように出光側反射シート１９における単位面積当たりの開口面積に係る分布によってＬＥＤ配置部１９ａとＬＥＤ非配置部１９ｂとで単位面積当たりの透過光量を異ならせることができる。従って、出光側反射シート１９自身の光反射率や光透過率については全域にわたって一定とすることが可能となり、出光側反射シート１９の製造コストを低廉化する上で好適となる。
【００４８】
また、支持部材２１は、複数の開口部２２のいずれかに挿通されてその開口縁に当接する。このようにすれば、出光側反射シート１９は、複数の開口部２２のいずれかに挿通される支持部材２１がその開口部２２の開口縁に当接されることで、ＬＥＤ１７に対する平面配置が固定化される。
【００４９】
また、出光側反射シート１９は、複数の開口部２２における個々の開口面積がＬＥＤ１７から遠ざかるほど大きくなっており、支持部材２１は、出光側反射シート１９のうちＬＥＤ非配置部１９ｂと重畳する位置に配される。このようにすれば、ＬＥＤ非配置部１９ｂにおける開口部２２の開口面積は、ＬＥＤ配置部１９ａにおける開口部２２の開口面積よりも大きくなる。支持部材２１は、出光側反射シート１９のうちＬＥＤ非配置部１９ｂと重畳する位置に配されているので、仮にＬＥＤ配置部１９ａと重畳する位置に配された場合に比べると、支持部材２１が挿通される開口部２２の開口面積が大きなものとなる。これにより、支持部材２１を太くすることができるので、光学部材１５に含まれる拡散板１５ａをより安定的に支持することができる。
【００５０】
また、支持部材２１には、出光側反射シート１９における開口部２２の開口縁を底部１４ａ側から支持する支持突部２１ｄが設けられている。このようにすれば、支持突部２１ｄによって出光側反射シート１９における開口部２２の開口縁を底部１４ａ側から支持することで、出光側反射シート１９がＬＥＤ１７に近づくような位置ずれが生じ難くなる。
【００５１】
本実施形態に係る液晶表示装置１０は、上記記載のバックライト装置１２と、バックライト装置１２から照射される光を利用して画像を表示する液晶パネル（表示パネル）１１と、を備える。このような構成の液晶表示装置１０によれば、バックライト装置１２からの光に輝度ムラが生じ難いものとなっているから、表示品位に優れた表示を実現することができる。
【００５２】
本実施形態に係るテレビ受信装置１０ＴＶは、上記記載の液晶表示装置１０を備える。このようなテレビ受信装置１０ＴＶによれば、液晶表示装置１０の表示品位が優れたものとされているから、表示品位に優れたテレビ画像の表示を実現することができる。
【００５３】
＜実施形態２＞
本発明の実施形態２を図８または図９によって説明する。この実施形態２では、支持部材１２１の構造を変更したものを示す。なお、上記した実施形態１と同様の構造、作用及び効果について重複する説明は省略する。
【００５４】
本実施形態に係る支持部材１２１には、図８に示すように、出光側反射シート１１９における開口部１２２の開口縁が係止される係止溝２３が形成されている。係止溝２３は、支持部材１２１を構成する支持部１２１ｃのうち、Ｚ軸方向について出光側反射シート１１９と重なり合う部分、つまり正規の取付位置とされた出光側反射シート１１９における開口部１２２内に通される部分を凹ませることで形成されている。係止溝２３は、支持部１２１ｃにおける上記部分を全周にわたって凹ませて形成されており、それにより支持部１２１ｃは、局所的に縮径されている。支持部１２１ｃのうち係止溝２３が形成された部分の径寸法は、支持部１２１ｃが挿通される開口部１２２の径寸法とほぼ同じかそれよりもやや小さい程度とされるのに対し、支持部１２１ｃのうち係止溝２３に対してＺ軸方向について図８に示す上下に隣接する部分の径寸法は、上記開口部１２２の径寸法よりも大きなものとされる。従って、図９に示す状態から出光側反射シート１１９の開口部１２２内に支持部１２１ｃが通される過程では、一時的に出光側反射シート１１９が開口部１２２を拡径するよう弾性的に変形され、出光側反射シート１１９がＺ軸方向について係止溝２３と重なり合う位置に達すると、図８に示すように、出光側反射シート１１９が復元されて開口部１２２の開口縁に係止溝２３の溝縁が係止される。これにより、出光側反射シート１１９が正規の取付位置からＸ軸方向及びＹ軸方向についての全方位に関して位置決めされるとともに、Ｚ軸方向について表裏のいずれにも（ＬＥＤに近づく側と遠ざかる側のいずれにも）位置決めされる。なお、本実施形態では、支持部１２１ｃに係止溝２３が形成されるのに伴って上記した実施形態１に記載した支持突部２１ｄが除去されている。
【００５５】
以上説明したように本実施形態によれば、支持部材１２１には、出光側反射シート１１９における開口部１２２の開口縁が係止される係止溝２３が形成されている。このようにすれば、係止溝２３に出光側反射シート１１９における開口部１２２の開口縁が係止されることで、出光側反射シート１１９がＬＥＤに近づくような位置ずれが生じ難くなる。
【００５６】
＜実施形態３＞
本発明の実施形態３を図１０から図１２によって説明する。この実施形態３では、上記した実施形態１からＬＥＤ２１７の設置数などを変更したものを示す。なお、上記した実施形態１と同様の構造、作用及び効果について重複する説明は省略する。
【００５７】
本実施形態に係るＬＥＤ２１７及びＬＥＤ基板２１８は、図１０及び図１２に示すように、シャーシ２１４の底部２１４ａにおける長辺方向（Ｘ軸方向）に沿って３つずつが間隔を空けて並んで配されている。３つずつのＬＥＤ２１７及びＬＥＤ基板２１８は、底部２１４ａにおける長辺方向の中央位置に配されるものと、同中央位置と長辺方向の両端位置との中間位置にそれぞれ配されるものと、が含まれる。３つずつのＬＥＤ２１７及びＬＥＤ基板２１８は、いずれも底部２１４ａにおいて短辺方向（Ｙ軸方向）の中央位置に配されている。出光側反射シート２１９は、底部２１４ａよりも一回り小さな横長の方形状をなしており、底部２１４ａの外周端部を除く殆どの部分に対して平面に視て重畳するものとされる。出光側反射シート２１９には、ＬＥＤ２１７と平面に視て重畳する部分を含むＬＥＤ配置部２１９ａが３つ、Ｘ軸方向に沿って間隔を空けて並ぶ形で備えられている。出光側反射シート２１９のうち、３つのＬＥＤ配置部２１９ａを除いた部分が、複数の開口部２２２が形成されたＬＥＤ非配置部２１９ｂとされている。複数の開口部２２２は、その径寸法及び開口面積が各ＬＥＤ２１７からの距離に比例するよう変化するものとされており、出光側反射シート２１９における最外周端位置と、Ｘ軸方向について隣り合うＬＥＤ配置部２１９ａの中間位置と、に配される開口部２２２の径寸法及び開口面積が最大とされている。
【００５８】
そして、支持部材２２１は、図１１に示すように、出光側反射シート２１９における最外周端の四隅の角位置と、Ｘ軸方向（ＬＥＤ２１７の並び方向）について隣り合うＬＥＤ２１７の中間位置と、に合計で６つが配置されている。つまり、各支持部材２２１の支持部２２１ｃが挿通される各開口部２２２は、いずれも径寸法及び開口面積が最大となっているので、各支持部２２１ｃを極力太くすることができ、もって拡散板２１５ａ及び出光側反射シート２１９が安定的に支持されるようになっている。Ｘ軸方向について隣り合うＬＥＤ２１７の中間位置にそれぞれ配される２つの支持部材２２１は、Ｙ軸方向について出光側反射シート２１９の中央位置に配されており、Ｘ軸方向について各ＬＥＤ２１７と直線状に並ぶ配置とされている。本実施形態に係る出光側反射シート２１９は、ＬＥＤ２１７の設置数の増加に伴って上記した実施形態１に記載したものよりも大型化するものの、四隅の角位置に配される４つの支持部材２２１によって支持されるのに加えて、Ｘ軸方向について隣り合うＬＥＤ２１７の中間位置に配される２つの支持部材２２１によって支持されることで安定的な支持及び位置決めが図られるようになっている。
【００５９】
以上説明したように本実施形態によれば、ＬＥＤ２１７は、底部２１４ａに沿って複数が間隔を空けて並んで配されており、支持部材２２１は、少なくともＬＥＤ２１７の並び方向について隣り合うＬＥＤ２１７の間に配される。このように、複数のＬＥＤ２１７が底部２１４ａに沿って間隔を空けて並んで配される構成においては、出光側反射シート２１９が大型化する傾向にあるものの、出光側反射シート２１９を底部２１４ａ側から支持する支持部材２２１が少なくともＬＥＤ２１７の並び方向について隣り合うＬＥＤ２１７の間に配されることで、出光側反射シート２１９を安定的に支持することができる。
【００６０】
＜実施形態４＞
本発明の実施形態４を図１３によって説明する。この実施形態４では、上記した実施形態１から出光側反射シート３１９の構造を変更したものを示す。なお、上記した実施形態１と同様の構造、作用及び効果について重複する説明は省略する。
【００６１】
本実施形態に係る出光側反射シート３１９は、図１３に示すように、シャーシ３１４の底部３１４ａ及び拡散板３１５ａの板面に並行する平坦状部２４と、平坦状部２４におけるＹ軸方向についての両外端からそれぞれ突出して平坦状部２４から遠ざかるに従って拡散板３１５ａに近づくよう傾斜状をなす一対の傾斜状部２５と、を有している。このうち、平坦状部２４は、その全域が底部３１４ａ及びシャーシ側反射シート３２０の底側反射部３２０ａと平面に視て重畳する配置とされるのに対し、傾斜状部２５は、その殆どが短辺側の側部３１４ｃ及び立ち上がり反射部３２０ｂと平面に視て重畳する配置とされる。平坦状部２４は、ＬＥＤ配置部３１９ａとＬＥＤ非配置部３１９ｂとから構成されるのに対し、傾斜状部２５は、その全域がＬＥＤ非配置部３１９ｂとされる。従って、傾斜状部２５には、その全域にわたって開口部が形成されている。なお、図１３では、開口部の図示を省略している。傾斜状部２５は、立ち上がり基端側から立ち上がり先端側に向けて拡散板３１５ａとの間の間隔が次第に狭くなるよう、平坦状部２４に対して傾斜状をなしている。本実施形態では、傾斜状部２５は、平坦状部２４に対してなす傾斜角度が、短辺側の側部３１４ｃ及び立ち上がり反射部３２０ｂが底部３１４ａ及び底側反射部３２０ａに対してなす傾斜角度よりも小さなものとされている。従って、傾斜状部２５と短辺側の側部３１４ｃ及び立ち上がり反射部３２０ｂとの間の間隔は、立ち上がり基端側（平坦状部２４側、底部３１４ａ及び底側反射部３２０ａ側）から立ち上がり先端側に近づくほど狭くなるものとされる。傾斜状部２５は、短辺側の立ち上がり反射部３２０ｂと対向配置されているので、ＬＥＤ３１７からの光を短辺側の立ち上がり反射部３２０ｂとの間で繰り返し反射することができ、それによりその反射光をシャーシ３１４及び拡散板３１５ａにおける外周端側へと効率的に導くことができる。もって、光量不足が最も懸念される拡散板３１５ａの外周端部に暗部が生じ難いものとなる。
【００６２】
そして、支持部材３２１には、出光側反射シート３１９における平坦状部２４と重畳する位置に配されるものと、傾斜状部２５と重畳する位置に配されるものと、が含まれている。詳しくは、支持部材３２１には、平坦状部２４における四隅の角位置に対して重畳する４つの支持部材３２１と、傾斜状部２５における立ち上がり先端側の角位置に対して重畳する４つの支持部材３２１と、が含まれている。このように、傾斜状部２５は、立ち上がり先端側の角位置が支持部材３２１によって支持されるので、平坦状部２４に対する傾斜姿勢が安定的に保たれるようになっている。これにより、傾斜状部２５の光学性能が安定的に発揮される。また、傾斜状部２５と重畳する位置に配される支持部材３２１は、シャーシ３１４における側部３１４ｃに取り付けられているので、支持部３２１ｃの高さ寸法が、平坦状部２４と重畳する位置に配される支持部材３２１の支持部３２１ｃの高さ寸法よりも小さくなっている。
【００６３】
以上説明したように本実施形態によれば、出光側反射シート３１９は、底部３１４ａに並行する平坦状部２４と、平坦状部２４の外端から突出して平坦状部２４から遠ざかるに従って光学部材３１５に含まれる拡散板３１５ａに近づくよう傾斜状をなす傾斜状部２５と、を有しており、支持部材３２１には、平坦状部２４と重畳する位置に配されるものと、傾斜状部２５と重畳する位置に配されるものと、が含まれている。このようにすれば、出光側反射シート３１９が平坦状部２４に加えて傾斜状部２５を有しているので、ＬＥＤ３１７から発せられた光を傾斜状部２５により反射することでその反射光をシャーシ３１４及び光学部材３１５に含まれる拡散板３１５ａの外端付近まで効率的に導くことができ、それにより輝度ムラがより生じ難いものとなる。支持部材３２１に、平坦状部２４と重畳する位置に配されるものに加えて傾斜状部２５と重畳する位置に配されるものが含まれているから、傾斜状部２５を有する出光側反射シート３１９の光学性能が良好に発揮される。
【００６４】
＜実施形態５＞
本発明の実施形態５を図１４または図１５によって説明する。この実施形態５では、上記した実施形態１から支持部材４２１の構造を変更したものを示す。なお、上記した実施形態１と同様の構造、作用及び効果について重複する説明は省略する。
【００６５】
本実施形態に係る支持部材４２１は、図１４及び図１５に示すように、シャーシの底部と出光側反射シート４１９との間に介在する形で配される出光側反射シート支持部（出光側反射部材支持部）２６と、出光側反射シート４１９と拡散板との間に介在する形で配される拡散板支持部（光学部材支持部）２７と、の二部品構成とされており、これらが相互に取り付けられることで一体化されている。出光側反射シート支持部２６は、図示しない本体部及び固定部を有するのに加えて、支持部４２１ｃのうちの基端位置から出光側反射シート４１９の開口部４２２に挿通される位置までの部分と、出光側反射シート４１９を裏側から支持する支持突部４２１ｄと、を有している。拡散板支持部２７は、支持部４２１ｃの残りの部分（出光側反射シート４１９の表側位置から先端位置までの部分）と、出光側反射シート４１９を表側から押さえる押さえ突部２８と、を有している。押さえ突部２８は、支持突部４２１ｄとの間で出光側反射シート４１９を挟み込んで保持するものとされる。
【００６６】
そして、拡散板支持部２７には、出光側反射シート支持部２６に対する取付面を部分的に突出させることで取付凸部２７ａが設けられているのに対し、出光側反射シート支持部２６には、拡散板支持部２７に対する取付面を部分的に凹ませることで取付凸部２７ａが凹凸嵌合される取付凹部２６ａが設けられている。組み付けに際しては、図１５に示す状態から出光側反射シート４１９が出光側反射シート支持部２６に対して取り付けられると、出光側反射シート支持部２６における支持部４２１ｃの先端部が出光側反射シート４１９の開口部４２２内に挿通されるとともに、支持突部４２１ｄによって出光側反射シート４１９の開口部４２２の開口縁が裏側から支持される。その後、出光側反射シート支持部２６に対して拡散板支持部２７が取り付けられると、取付凸部２７ａが取付凹部２６ａに対して凹凸嵌合されるとともに、押さえ突部２８によって出光側反射シート４１９の開口部４２２の開口縁が表側から押さえられる。このとき、出光側反射シート４１９は、支持突部４２１ｄと押さえ突部２８との間に挟み込まれることで、Ｚ軸方向について表裏いずれにも位置決めされるとともに、Ｘ軸方向及びＹ軸方向についても位置決めされる。また、拡散板支持部２７は、取付凸部２７ａが取付凹部２６ａに対して凹凸嵌合されることで、出光側反射シート支持部２６に対して取付状態に保持される。
【００６７】
以上説明したように本実施形態によれば、支持部材４２１は、底部と出光側反射シート４１９との間に介在する形で配される出光側反射シート支持部（出光側反射部材支持部）２６と、出光側反射シート４１９と光学部材に含まれる拡散板との間に介在する形で配され出光側反射シート支持部２６に対して取り付けられて出光側反射シート支持部２６との間で出光側反射シート４１９を挟み込む拡散板支持部（光学部材支持部）２７と、から構成される。このようにすれば、出光側反射シート支持部２６により出光側反射シート４１９を底部側から支持した状態で拡散板支持部２７を出光側反射シート支持部２６に対して取り付けると、拡散板支持部２７と出光側反射シート支持部２６との間に出光側反射シート４１９が挟み込まれることで、ＬＥＤに対する出光側反射シート４１９の平面配置が固定化される。
【００６８】
＜実施形態６＞
本発明の実施形態６を図１６によって説明する。この実施形態６では、上記した実施形態１からＬＥＤ５１７の設置数を変更したものを示す。なお、上記した実施形態１と同様の構造、作用及び効果について重複する説明は省略する。
【００６９】
本実施形態に係るＬＥＤ５１７は、図１６に示すように、ＬＥＤ基板５１８においてＸ軸方向及びＹ軸方向に沿って３つ（複数）ずつマトリクス状に並んで配されている。これら９つのＬＥＤ５１７は、１枚のＬＥＤ基板５１８上に実装されている。出光側反射シート５１９におけるＬＥＤ配置部５１９ａは、上記した９つのＬＥＤ５１７からなるＬＥＤ群に対して平面に視て重畳する部分を少なくとも有している。このような構成においても、上記した実施形態１と同様の作用及び効果を得ることができる。
【００７０】
＜実施形態７＞
本発明の実施形態７を図１７によって説明する。この実施形態７では、上記した実施形態１から支持部材６２１による出光側反射シート６１９の支持形態を変更したものを示す。なお、上記した実施形態１と同様の構造、作用及び効果について重複する説明は省略する。
【００７１】
本実施形態に係る支持部材６２１は、図１７に示すように、出光側反射シート６１９における外縁を裏側から支持している。つまり、この支持部材６２１は、支持部６２１ｃが出光側反射シート６１９の開口部６２２に挿通されることがないものとされており、支持部６２１ｃ及び支持突部６２１ｄが出光側反射シート６１９における外縁にそれぞれ当接されることで、出光側反射シート６１９をＸ軸方向、Ｙ軸方向及びＺ軸方向について位置決めしている。
【００７２】
＜他の実施形態＞
本発明は上記記述及び図面によって説明した実施形態に限定されるものではなく、例えば次のような実施形態も本発明の技術的範囲に含まれる。
（１）上記した各実施形態では、出光側反射シートに形成する複数の開口部の径寸法及び開口面積をＬＥＤに対する位置関係に応じて変化させる場合を示したが、それ以外にも例えば複数の開口部の径寸法及び開口面積を一律とし、出光側反射シートにおける単位面積当たりの開口部の数、つまり開口部の分布密度をＬＥＤに対する位置関係に応じて変化させるようにしても構わない。
【００７３】
（２）上記した各実施形態以外にも、出光側反射シートのＬＥＤ非配置部における複数の開口部の具体的な配置に関しては、適宜に変更可能である。例えば複数の開口部の中心を結ぶ線が円形や楕円形などの非直線状の軌跡を描くような配置を採ることが可能である。その場合、複数の開口部の中心を結ぶ線が、ＬＥＤの配光分布の外形に倣うようにするのが好ましい。
【００７４】
（３）上記した各実施形態では、出光側反射シートに透過光量を制御するための開口部を形成した場合を示したが、それ以外にも例えば出光側反射シートに光を所定の割合でもって透過する半透過部を部分的に形成し、その半透過部の面積比率をＬＥＤに対する位置関係に応じて変化させることで、出光側反射シートの透過光量を制御することも可能である。より具体的には、出光側反射シートの材料として光透過性を有するものを用いるようにし、出光側反射シートの表面にエンボス加工やシボ加工などを施して粗面を形成することで半透過部を設けるようにすればよい。
【００７５】
（４）上記した（３）に記載したような出光側反射シートにおいて、上記した各実施形態のように複数の開口部を設けるようにしてもよい。
【００７６】
（５）上記した各実施形態以外にも、出光側反射シートに対する支持部材の平面配置及び設置数などは適宜に変更可能である。例えば、出光側反射シートにおける複数の開口部のうち、径寸法及び開口面積が最大ではない開口部に対して支持部が挿通されるような位置に支持部材を配置することも可能である。また、支持部材が出光側反射シートの外周端位置であって角位置以外の位置に配置されていても構わない。
【００７７】
（６）上記した各実施形態以外にも、出光側反射シートにおけるＬＥＤ配置部とＬＥＤ非配置部との具体的な面積比率は、適宜に変更可能である。
【００７８】
（７）上記した各実施形態では、光学部材に含まれる拡散板が支持部材によって支持される構成を示したが、拡散板以外の光学部材を支持部材によって支持するようにすることも可能である。
【００７９】
（８）上記した各実施形態以外にも、光学部材を構成する光学シートの具体的な枚数、種類、積層順などについては適宜に変更可能である。他の光学シートとしては、拡散シートや蛍光体を有する波長変換シートなどを用いることが可能である。また、光学シートとして同じ種類のものを複数枚用いることも可能である。
【００８０】
（９）上記（８）において光学シートとして波長変換シートを用いる場合には、ＬＥＤとしては、青色を単色発光するものや、マゼンタ色光を発光するものや、シアン色光を発光するものを用いるようにし、波長変換シートとしては、上記ＬＥＤの光に含まれる青色の光を励起光としてＬＥＤの発光光の補色となる色の蛍光光を発する蛍光体（緑色光を発する緑色蛍光体、赤色光を発する赤色蛍光体、黄色光を発する黄色蛍光体など）を含有するものを用いるのが好ましい。
【００８１】
（１０）上記した実施形態１では、ＬＥＤがシャーシの底部及び出光側反射シートにおける中央位置に配置された場合を示したが、底部及び出光側反射シートにおけるＬＥＤの平面配置は、中央位置以外にも適宜に変更可能である。
【００８２】
（１１）上記した実施形態２では、係止溝が支持部の外周面の全周にわたって形成された場合を示したが、係止溝が支持部における周方向について部分的に形成されていても構わない。
【００８３】
（１２）上記した実施形態３では、隣り合うＬＥＤの間に配される支持部材がＬＥＤと直線状に配置される場合を示したが、隣り合うＬＥＤの間に配される支持部材がＬＥＤと非直線状に配置されていても構わない。また、隣り合うＬＥＤの間に配される支持部材から各ＬＥＤまでの距離が等しくなくても構わない。
【００８４】
（１３）上記した実施形態３では、３つのＬＥＤがＸ軸方向に沿って間欠的に並ぶ配置のものを示したが、ＬＥＤの具体的な並び数は３つ以外にも適宜に変更可能である。また、複数のＬＥＤがＹ軸方向に沿って間欠的に並ぶ配置を採ることも可能である。
【００８５】
（１４）上記した実施形態４の変形例として、平坦状部に対する傾斜状部の傾斜角度を、底部及び底側反射部に対する側部及び立ち上がり反射部の傾斜角度とほぼ同じまたはそれよりも大きくすることも可能である。
【００８６】
（１５）上記した実施形態５以外にも、拡散板支持部と出光側反射部材支持部との具体的な保持構造は、適宜に変更可能である。
【００８７】
（１６）上記した実施形態６以外にも、ＬＥＤの具体的な設置数は適宜に変更可能である。
【００８８】
（１７）上記した実施形態２に記載した構成を、実施形態３〜７に記載した構成に適宜に組み合わせることも可能である。
【００８９】
（１８）上記した実施形態３に記載した構成を、実施形態４〜７に記載した構成に適宜に組み合わせることも可能である。
【００９０】
（１９）上記した実施形態４に記載した構成を、実施形態５〜７に記載した構成に適宜に組み合わせることも可能である。
【００９１】
（２０）上記した実施形態５に記載した構成を、実施形態６，７に記載した構成に適宜に組み合わせることも可能である。
【００９２】
（２１）上記した実施形態６に記載した構成を、実施形態７に記載した構成に適宜に組み合わせることも可能である。
【００９３】
（２２）上記した各実施形態では、発光面が拡散板と対向状をなす頂面発光型のＬＥＤを用いた場合を示したが、側面発光型のＬＥＤを用いることも可能である。
【００９４】
（２３）上記した各実施形態では、シャーシが金属製とされた場合を例示したが、シャーシを合成樹脂製とすることも可能である。
【００９５】
（２４）上記した各実施形態では、光学部材がフレームに対して表側に載せられて拡散板との間に間隔が空けられた構成を例示したが、光学部材が拡散板に対して表側に直接載せられる構成を採ることも可能である。その場合、フレームが最も表側に配される光学部材を表側から押さえる構成としたり、フレームが複数の光学部材の間に介在する形で配される構成としたりすることが可能である。
【００９６】
（２５）上記した各実施形態では、光源としてＬＥＤを用いたものを示したが、有機ＥＬなどの他の光源を用いることも可能である。
【００９７】
（２６）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【００９８】
（２７）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００９９】
（２８）上記した各実施形態では、透過型の液晶表示装置を例示したが、それ以外にも反射型の液晶表示装置や半透過型の液晶表示装置にも本発明は適用可能である。
【０１００】
（２９）上記した各実施形態では、表示パネルとして液晶パネルを用いた液晶表示装置を例示したが、他の種類の表示パネルを用いた表示装置にも本発明は適用可能である。
【０１０１】
（３０）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１０２】
１０…液晶表示装置（表示装置）、１０ＴＶ…テレビ受信装置、１１…液晶パネル（表示パネル）、１２…バックライト装置（照明装置）、１４，２１４，３１４…シャーシ、１４ａ，２１４ａ，３１４ａ…底部、１４ｂ…光出射部、１５，３１５…光学部材、１５ａ，２１５ａ，３１５ａ…拡散板（光学部材）、１７，２１７，３１７，５１７…ＬＥＤ（光源）、１９，１１９，２１９，３１９，４１９，５１９，６１９…出光側反射シート（出光側反射部材）、１９ａ，２１９ａ，３１９ａ，５１９ａ…ＬＥＤ配置部（光源配置部）、１９ｂ，２１９ｂ，３１９ｂ…ＬＥＤ非配置部（光源非配置部）、２１，１２１，２２１，３２１，４２１，６２１…支持部材、２１ｄ，４２１ｄ，６２１ｄ…支持突部、２２，１２２，２２２，４２２，６２２…開口部、２３…係止溝、２４…平坦状部、２５…傾斜状部、２６…出光側反射シート支持部（出光側反射部材支持部）、２７…拡散板支持部（光学部材支持部）
【図１】
0006644510.tif 000002
【図２】
0006644510.tif 000003
【図３】
0006644510.tif 000004
【図４】
0006644510.tif 000005
【図５】
0006644510.tif 000006
【図６】
0006644510.tif 000007
【図７】
0006644510.tif 000008
【図８】
0006644510.tif 000009
【図９】
0006644510.tif 000010
【図１０】
0006644510.tif 000011
【図１１】
0006644510.tif 000012
【図１２】
0006644510.tif 000013
【図１３】
0006644510.tif 000014
【図１４】
0006644510.tif 000015
【図１５】
0006644510.tif 000016
【図１６】
0006644510.tif 000017
【図１７】
0006644510.tif 000018